(57)【特許請求の範囲】
【請求項１】
第１の光源光を出射する第１の光源モジュールと、
第２の光源光を出射する第２の光源モジュールと、
前記第１の光源光を受光することで機能する第１の照射モジュールと、
前記第２の光源光を受光することで機能する第２の照射モジュールと、
前記第１の光源モジュールと前記第１の照射モジュールとを光学的に接続可能であり、前記第２の光源モジュールと前記第２の照射モジュールとを光学的に接続可能であり、前記第１の照射モジュールまたは前記第２の照射モジュールと、前記第１の光源モジュールと、前記第２の光源モジュールとに機械的に接続する中継アダプタと、
前記第１の光源モジュールと前記中継アダプタとを接続する第１の接続機構と、
前記第２の光源モジュールと前記中継アダプタとを接続する第２の接続機構と、
を具備し、
前記中継アダプタは、
前記第１の光源モジュールと前記第１の照射モジュールとを光学的に接続し、前記第１の光源モジュールから前記第１の照射モジュールに前記第１の光源光を導光する第１の導光部材と、
前記第２の光源モジュールと前記第２の照射モジュールとを光学的に接続し、前記第２の光源モジュールから前記第２の照射モジュールに前記第２の光源光を導光する第２の導光部材と、
を有し、
前記第１の照射モジュールと前記第２の照射モジュールとは、前記中継アダプタの同一面にて交換可能に前記中継アダプタと接続することを特徴とする光源システム。
【請求項２】
前記第１の接続機構は、
前記第１の光源光を出射し、前記第１の光源モジュールに配設される第１の光源出射端部が配設され、前記第１の光源モジュールに配設される第１の光源側接続部と、
前記第１の光源光が入射する前記第１の導光部材の第１の導光入射端部が配設され、前記中継アダプタに配設され、前記第１の光源出射端部と前記第１の導光入射端部とが光学的に接続するように前記第１の光源側接続部と機械的に接続する第１のアダプタ側接続部と、
を有し、
前記第２の接続機構は、
前記第２の光源光を出射し、前記第２の光源モジュールに配設される第２の光源出射端部が配設され、前記第２の光源モジュールに配設される第２の光源側接続部と、
前記第２の光源光が入射する前記第２の導光部材の第２の導光入射端部が配設され、前記中継アダプタに配設され、前記第２の光源出射端部と前記第２の導光入射端部とが光学的に接続するように前記第２の光源側接続部と機械的に接続する第２のアダプタ側接続部と、
を有することを特徴とする請求項１に記載の光源システム。
【請求項３】
前記第１の照射モジュールと前記第２の照射モジュールとの少なくとも一方と前記中継アダプタとを機械的に接続する第３の接続機構をさらに具備し、
前記第３の接続機構は、
前記第１の光源光が出射する前記第１の導光部材の第１の導光出射端部と、前記第２の光源光が出射する前記第２の導光部材の第２の導光出射端部とが配設され、前記中継アダプタに配設される第３のアダプタ側接続部と、
前記第１の照射モジュールに配設され、前記第１の照射モジュールと前記第１の導光出射端部とが光学的に接続するように前記第３のアダプタ側接続部と機械的に接続する第１の照射接続部と、
前記第２の照射モジュールに配設され、前記第２の照射モジュールと前記第２の導光出射端部とが光学的に接続するように前記第３のアダプタ側接続部と機械的に接続する第２の照射接続部と、
を有することを特徴とする請求項２に記載の光源システム。
【請求項４】
前記第１の光源側接続部は、前記第１のアダプタ側接続部のみと機械的に接続し、
前記第２の光源側接続部は、前記第２のアダプタ側接続部のみと機械的に接続することを特徴とする請求項３に記載の光源システム。
【請求項５】
前記第１の光源出射端部は、前記第１の導光入射端部のみと光学的に接続し、
前記第２の光源出射端部は、前記第２の導光入射端部のみと光学的に接続することを特徴とする請求項３に記載の光源システム。
【請求項６】
前記第１のアダプタ側接続部が配設される前記中継アダプタの第１の面と、前記第２のアダプタ側接続部が配設される前記中継アダプタの第２の面とは、互いに異なることを特徴とする請求項３に記載の光源システム。
【請求項７】
前記第１のアダプタ側接続部が配設される前記中継アダプタの第１の面は、前記第３のアダプタ側接続部が配設される前記中継アダプタの第３の面と対向し、
前記第１の導光部材は、前記第１の面から前記第３の面に向かって直線状に配設されていることを特徴とする請求項３に記載の光源システム。
【請求項８】
前記第１の接続機構は、前記第１の光源側接続部と前記第１のアダプタ側接続部との接続を検出する第１の検出部をさらに有し、
前記第２の接続機構は、前記第２の光源側接続部と前記第２のアダプタ側接続部との接続を検出する第２の検出部をさらに有し、
前記第３の接続機構は、前記第３のアダプタ側接続部と前記第１の照射接続部との接続と、前記第３のアダプタ側接続部と前記第２の照射接続部との接続とを検出する第３の検出部をさらに有し、
前記第３の検出部は、前記第３の検出部の検出結果を、前記第１の検出部と前記第２の検出部とに伝達することを特徴とする請求項３に記載の光源システム。
【請求項９】
前記第１の検出部が前記第１の光源側接続部と前記第１のアダプタ側接続部との接続を検出し、且つ前記第３の検出部が前記第３のアダプタ側接続部と前記第１の照射接続部との接続を検出した際に、前記第３の検出部は、前記第３の検出部の検出結果を、前記第１の検出部に伝達し、
前記第２の検出部が前記第２の光源側接続部と前記第２のアダプタ側接続部との接続を検出し、且つ前記第３の検出部が前記第３のアダプタ側接続部と前記第２の照射接続部との接続とを検出した際に、前記第３の検出部は、前記第３の検出部の検出結果を、前記第２の検出部に伝達することを特徴とする請求項８に記載の光源システム。
【請求項１０】
前記第１の光源モジュールは、前記第１の検出部の検出結果と、前記第３の検出部の検出結果とを基に制御され、
前記第２の光源モジュールは、前記第２の検出部の検出結果と、前記第３の検出部の検出結果とを基に制御されることを特徴とする請求項８に記載の光源システム。
【請求項１１】
前記第１の検出部は、前記第１の光源出射端部と前記第１の導光入射端部との光学的な接続を検出し、
前記第２の検出部は、前記第２の光源出射端部と前記第２の導光入射端部との光学的な接続を検出し、
前記第３の検出部は、前記第１の照射モジュールと前記第１の導光出射端部との光学的な接続と、前記第２の照射モジュールと前記第２の導光出射端部との光学的な接続とを検出することを特徴とする請求項８に記載の光源システム。
【請求項１２】
前記第１の照射モジュールと前記第２の照射モジュールとが組み合わされることで形成される第３の照射モジュールをさらに具備することを特徴とする請求項３に記載の光源システム。
【請求項１３】
前記第３のアダプタ側接続部は、
前記第１の導光出射端部が配設され、前記第１の照射接続部と機械的に接続する第１のアダプタ照射接続部と、
前記第２の導光出射端部が配設され、前記第２の照射接続部と機械的に接続する第２のアダプタ照射接続部と、
を有し、
前記第１のアダプタ照射接続部と前記第１の照射接続部との接続と、前記第２のアダプタ照射接続部と前記第２の照射接続部との接続とは、単独で実施されることを特徴とする請求項３に記載の光源システム。
【請求項１４】
前記第１の光源モジュールは、前記第１の光源光を出射する第１の光源を有し、
前記第１の光源は、ＬＥＤ光源とランプ光源との少なくとも一方を有し、
前記第１の導光入射端部は、前記第２の導光入射端部よりも大きいことを特徴とする請求項２に記載の光源システム。
【請求項１５】
前記第２の光源モジュールは、前記第２の光源光を出射する第２の光源を有し、
前記第２の光源は、レーザ光源とスーパルミネッセント光源との少なくとも一方を有し、
前記第２の導光部材は、単線の光ファイバを有することを特徴とする請求項２に記載の光源システム。
【請求項１６】
第１の光源光を出射する第１の光源モジュールと、
第２の光源光を出射する第２の光源モジュールと、
前記第１の光源光を受光することで機能する第１の照射モジュールと、
前記第２の光源光を受光することで機能する第２の照射モジュールと、
前記第２の光源モジュールを内蔵し、前記第１の光源モジュールと前記第１の照射モジュールとを光学的に接続可能であり、前記第２の光源モジュールと前記第２の照射モジュールとを光学的に接続可能であり、前記第１の照射モジュールまたは前記第２の照射モジュールと、前記第１の光源モジュールとに機械的に接続する中継アダプタと、
前記第１の光源モジュールと前記中継アダプタとを接続する第１の接続機構と、
を具備し、
前記中継アダプタは、前記第１の光源モジュールと前記第１の照射モジュールとを光学的に接続し、前記第１の光源モジュールから前記第１の照射モジュールに前記第１の光源光を導光する第１の導光部材を有し、
前記第１の照射モジュールと前記第２の照射モジュールとは、前記中継アダプタの同一面にて交換可能に前記中継アダプタと接続することを特徴とする光源システム。
【請求項１７】
前記中継アダプタは、前記第２の光源モジュールの光源と前記第２の照射モジュールとを光学的に接続し、前記光源から前記第２の照射モジュールに前記第２の光源光を導光する第２の導光部材をさらに有することを特徴とする請求項１６に記載の光源システム。
【請求項１８】
前記第２の光源モジュールは、前記第２の光源光を出射する第２の光源を有し、
前記第２の光源は、レーザ光源とスーパルミネッセント光源との少なくとも一方を有することを特徴とする請求項１６または請求項１７に記載の光源システム。
【発明の詳細な説明】
【技術分野】
【０００１】
本発明は、中継アダプタを有する光源システムに関する。
【背景技術】
【０００２】
例えば特許文献１には、レーザ光源を有する第１の光源モジュールと、ライトガイドと波長変換部材とを有する第１の照射モジュールとを有する発光装置が開示されている。レーザ光は、レーザ光源から出射されてライトガイドの先端部まで導光され、この先端部に配設された波長変換部材によって波長変換される。
【先行技術文献】
【特許文献】
【０００３】
【特許文献１】特開２００７−２２０３２６号公報
【発明の概要】
【発明が解決しようとする課題】
【０００４】
特許文献１において、発光装置がランプ光源を有する第２の光源モジュールをさらに有する場合、発光装置は、第２の光源モジュールに対応する第２の照射モジュールを有する必要がある。このように使用する光の種類に応じて、光源モジュールと照射モジュールとは増え、ユーザにとって組立の手間が掛かり、正確且つ簡単に組み立てられない虞が生じる。
【０００５】
本発明の目的は、これらの事情に鑑みてなされたものであり、照射モジュールの種類に関わらず、正確且つ簡単に組み立てられる光源システムを提供することを目的とする。
【課題を解決するための手段】
【０００６】
本発明は目的を達成するために、第１の光源光を出射する第１の光源モジュールと、第２の光源光を出射する第２の光源モジュールと、前記第１の光源光を受光することで機能する第１の照射モジュールと、前記第２の光源光を受光することで機能する第２の照射モジュールと、前記第１の光源モジュールと前記第１の照射モジュールとを光学的に接続可能であり、前記第２の光源モジュールと前記第２の照射モジュールとを光学的に接続可能であり、前記第１の照射モジュールまたは前記第２の照射モジュールと、前記第１の光源モジュールと、前記第２の光源モジュールとに機械的に接続する中継アダプタと、前記第１の光源モジュールと前記中継アダプタとを接続する第１の接続機構と、前記第２の光源モジュールと前記中継アダプタとを接続する第２の接続機構と、を具備し、前記中継アダプタは、前記第１の光源モジュールと前記第１の照射モジュールとを光学的に接続し、前記第１の光源モジュールから前記第１の照射モジュールに前記第１の光源光を導光する第１の導光部材と、前記第２の光源モジュールと前記第２の照射モジュールとを光学的に接続し、前記第２の光源モジュールから前記第２の照射モジュールに前記第２の光源光を導光する第２の導光部材と、を有し、前記第１の照射モジュールと前記第２の照射モジュールとは、前記中継アダプタの同一面にて交換可能に前記中継アダプタと接続することを特徴とする光源システムを提供する。
また本発明は目的を達成するために、第１の光源光を出射する第１の光源モジュールと、第２の光源光を出射する第２の光源モジュールと、前記第１の光源光を受光することで機能する第１の照射モジュールと、前記第２の光源光を受光することで機能する第２の照射モジュールと、前記第２の光源モジュールを内蔵し、前記第１の光源モジュールと前記第１の照射モジュールとを光学的に接続可能であり、前記第２の光源モジュールと前記第２の照射モジュールとを光学的に接続可能であり、前記第１の照射モジュールまたは前記第２の照射モジュールと、前記第１の光源モジュールとに機械的に接続する中継アダプタと、前記第１の光源モジュールと前記中継アダプタとを接続する第１の接続機構と、を具備し、前記中継アダプタは、前記第１の光源モジュールと前記第１の照射モジュールとを光学的に接続し、前記第１の光源モジュールから前記第１の照射モジュールに前記第１の光源光を導光する第１の導光部材を有し、前記第１の照射モジュールと前記第２の照射モジュールとは、前記中継アダプタの同一面にて交換可能に前記中継アダプタと接続することを特徴とする光源システムを提供する。
【発明の効果】
【０００７】
本発明によれば、照射モジュールの種類に関わらず、正確且つ簡単に組み立てられる光源システムを提供することができる。
【図面の簡単な説明】
【０００８】
【図１】図１は、本発明の第１の実施形態に係る光源システムの概略図である。
【図２Ａ】図２Ａは、第１の実施形態の第１の変形例に係る光源システムの概略図である。
【図２Ｂ】図２Ｂは、第１の実施形態の第２の変形例に係る光源システムの概略図である。
【図２Ｃ】図２Ｃは、第１の実施形態の第２の変形例に係る光源システムの概略図である。
【図３Ａ】図３Ａは、第２の実施形態に係る光源システムの概略図である。
【図３Ｂ】図３Ｂは、検出部の拡大図である。
【図４】図４は、第３の実施形態に係る光源システムの第２の光源モジュールと中継アダプタとの概略図である。
【発明を実施するための形態】
【０００９】
以下、図面を参照して本発明の実施形態について詳細に説明する。  
［第１の実施形態］  
［構成］  
図１を参照して第１の実施形態について説明する。  
［光源システム１０］  
図１に示すように、光源システム１０は、第１の光源光を出射する第１の光源モジュール２０ａと、第２の光源光を出射する第２の光源モジュール２０ｂと、第１の光源光を受光することで機能する第１の照射モジュール６０ａと、第２の光源光を受光することで機能する第２の照射モジュール６０ｂと、第１の光源モジュール２０ａと第１の照射モジュール６０ａとを光学的に接続し、第２の光源モジュール２０ｂと第２の照射モジュール６０ｂとを光学的に接続し、第１の照射モジュール６０ａまたは第２の照射モジュール６０ｂと、第１の光源モジュール２０ａと第２の光源モジュール２０ｂとに機械的に接続する中継アダプタ１００とを有している。第１の光源モジュール２０ａと第２の光源モジュール２０ｂと第１の照射モジュール６０ａと第２の照射モジュール６０ｂと中継アダプタ１００とは、それぞれ別体である。
【００１０】
［第１の光源モジュール２０ａ］  
図１に示すように、第１の光源モジュール２０ａは、第１の光源光を出射する第１の光源２１ａと、第１の光源２１ａから前方に向かって出射された第１の光源光を集光する２つのレンズ２３ａ，２３ｂと、第１の光源２１ａから後方に向かって出射された第１の光源光を前方に向かって反射するミラー２５ａと、２つのレンズ２３ａ，２３ｂの間に配設され、第１の光源光から不要な成分をカットするフィルタ２７と、レンズ２３ｂによって集光された第１の光源光を導光する導光部材２９ａとを有している。  
前方とは第１の光源光の進行方向に対して前側を示し、後方とは第１の光源光の進行方向に対して後側を示す。
【００１１】
第１の光源２１ａは、例えば白色光源である。第１の光源２１ａは、例えば放電タイプのランプ光源である。具体的には、第１の光源２１ａは、放電ランプの一種であるキセノンランプである。この場合、第１の光源光は、ランプ光となっている。  
なお第１の光源２１ａは、例えばＬＥＤ光源のような半導体光源や、フィラメントタイプのランプ光源であっても良い。このように第１の光源２１ａは、ＬＥＤ光源とランプ光源との少なくとも一方を有していればよい。
【００１２】
第１の光源２１ａ側に配設されているレンズ２３ａは、第１の光源２１ａから出射された第１の光源光を略平行に変換する。  
ミラー２５ａは、第１の光源光をレンズ２３ａに集光する凹面を有している。  
フィルタ２７は、第１の光源光から不要な紫外成分と赤外成分とをカットする。フィルタ２７は、例えばバンドパスフィルタ、またはローパスフィルタとハイパスフィルタとの組み合わせによって形成される。  
導光部材２９ａ側に配設されているレンズ２３ｂは、フィルタ２７によって不要な成分が除去された第１の光源光を導光部材２９ａに集光する。
【００１３】
第１の光源光の一部は、第１の光源２１ａからレンズ２３ａに向かってに出射される。第１の光源光の他部は、第１の光源２１ａからミラー２５ａに向かってに出射される。そして第１の光源光の他部は、ミラー２５ａによってレンズ２３ａに向かって反射される。そして第１の光源光は、レンズ２３ａによって平行光に変換され、フィルタ２７によって紫外成分と赤外成分とをカットされ、レンズ２３ｂによって導光部材２９ａに集光され、導光部材２９ａに入射する。
【００１４】
導光部材２９ａは、レンズ２３ｂによって集光された第１の光源光を後述する出射端部３１ａに導光する導光ロッドである。導光部材２９ａは、大きい入射領域を有している。
【００１５】
また図１に示すように、第１の光源モジュール２０ａは、導光部材２９ａの端部に配設された第１の光源光を出射する出射端部３１ａと、出射端部３１ａと中継アダプタ１００に配設されている入射端部１１１ａとが光学的に接続するために入射端部１１１ａに出射端部３１ａを固定する固定部３３ａと、第１の光源モジュール２０ａから発生した熱を放出する図示しない放熱機構とさらに有している。
【００１６】
出射端部３１ａは、第１の光源光を出射し、第１の光源モジュール２０ａに配設される第１の光源出射端部を構成する。出射端部３１ａは、入射端部１１１ａと光学的に接続可能となっている。出射端部３１ａは、大きい出射領域として形成される。
【００１７】
固定部３３ａは、凹形状を有しており、出射端部３１ａを囲うように配設されている。固定部３３ａは、出射端部３１ａが配設され、第１の光源モジュール２０ａに配設される第１の光源側接続部を構成する。固定部３３ａは、中継アダプタ１００に配設されている凸形状の固定部１３３ａと嵌合する。固定部３３ａが固定部１３３ａと嵌合することで、第１の光源モジュール２０ａは中継アダプタ１００に機械的且つ光学的に接続される。このように固定部３３ａと固定部１３３ａとは、第１の接続機構として機能する。
【００１８】
放熱機構は、例えば冷却ファンと放熱フィンとを有している。放熱機構は、第１の光源２１ａから発生する熱と、第１の光源光を照射されることで温度が上昇した部材の熱とを放熱する。この部材とは、例えばミラー２５ａなどである。
【００１９】
［第２の光源モジュール２０ｂ］  
図１に示すように、第２の光源モジュール２０ｂは、第２の光源光を出射する第２の光源２１ｂと、第２の光源２１ｂから出射された第２の光源光を集光するレンズ２３ｃと、レンズ２３ｃによって集光された第２の光源光を導光する導光部材２９ｂとを有している。
【００２０】
第２の光源２１ｂは、第２の光源光として例えば青色のレーザ光を出射する例えばＩｎＧａＮ系の青色の半導体レーザを有している。レーザ光は、例えば、３７０ｎｍ〜５００ｎｍの波長を有している。第２の光源２１ｂの発光点は、小さい。レーザ光の大部分は、レンズ２３ｃによって導光部材２９ｂに入射する。  
なお第２の光源２１ｂは、スーパルミネッセント光を出射するスーパールミネッセントダイオード（ＳＬＤ）や、様々なレーザ光源などを有していてもよい。このように、第２の光源２１ｂは、レーザ光源とスーパルミネッセント光源との少なくとも一方を有していれば良い。
【００２１】
導光部材２９ｂは、レンズ２３ｃによって集光された第２の光源光を後述する出射端部３１ｂに導光する光ファイバである。導光部材２９ｂは、例えばレーザ光導光用光ファイバである。導光部材２９ｂは、小さい入射領域を有している。
【００２２】
また図１に示すように、第２の光源モジュール２０ｂは、導光部材２９ｂの端部に配設された第２の光源光を出射する出射端部３１ｂと、出射端部３１ｂと中継アダプタ１００に配設されている入射端部１１１ｂとが光学的に接続するために入射端部１１１ｂに出射端部３１ｂを固定する固定部３３ｂと、第２の光源モジュール２０ｂから発生した熱を放出する図示しない放熱機構とさらに有している。
【００２３】
出射端部３１ｂは、第２の光源光を出射し、第２の光源モジュール２０ｂに配設される第２の光源出射端部を構成する。出射端部３１ｂは、入射端部１１１ｂと光学的に接続可能となっている。出射端部３１ｂは、小さい出射領域として形成される。
【００２４】
固定部３３ｂは、凹形状を有しており、出射端部３１ｂを囲うように配設されている。固定部３３ｂは、出射端部３１ｂが配設され、第２の光源モジュール２０ｂに配設される第２の光源側接続部を構成する。固定部３３ｂは、中継アダプタ１００に配設されている凸状の固定部１３３ｂと嵌合する。固定部３３ｂが固定部１３３ｂと嵌合することで、第２の光源モジュール２０ｂは中継アダプタ１００に機械的且つ光学的に接続される。このように固定部３３ｂと固定部１３３ｂとは、第２の接続機構として機能する。
【００２５】
放熱機構は、例えば第２の光源２１ｂから発生する熱を放出する。放熱機構は、例えばペルチェ素子と放熱フィンとを有している。
【００２６】
［中継アダプタ１００］  
図１に示すように、中継アダプタ１００は、略立方体形状を有している。中継アダプタ１００は、第１の光源モジュール２０ａと光学的且つ機械的に接続する第１の平面と、第２の光源モジュール２０ｂと光学的且つ機械的に接続し、第１の平面に対して直交している第２の平面と、第１の照射モジュール６０ａまたは第２の照射モジュール６０ｂと光学的且つ機械的に接続し、第１の平面に対向し、第２の平面に対して直交する第３の面とを有している。
【００２７】
また図１に示すように、中継アダプタ１００は、第１の光源モジュール２０ａと第１の照射モジュール６０ａとを光学的に接続し、第１の光源モジュール２０ａから第１の照射モジュール６０ａに第１の光源光を導光する導光部材１０９ａと、第２の光源モジュール２０ｂと第２の照射モジュール６０ｂとを光学的に接続し、第２の光源モジュール２０ｂから第２の照射モジュール６０ｂに第２の光源光を導光する導光部材１０９ｂとを有している。
【００２８】
導光部材１０９ａは、導光部材２９ａと後述する第１の導光部材７１ａと同じ太さ、同じ光学的性質を有している。導光部材１０９ａは、例えば導光ロッドまたはバンドルファイバである。導光部材１０９ａの直径は、例えば数百μｍ以上であることが好適である。
【００２９】
導光部材１０９ａは、中継アダプタ１００の内部に配設されている。さらに導光部材１０９ａは、第１の平面から第３の平面に向かって直線状に配設されている。導光部材１０９ａは、第１の平面側に配設され、出射端部３１ａと光学的に接続し、第１の光源光が入射する入射端部１１１ａと、第３の平面側に配設され、第１の照射モジュール６０ａの入射端部６３ａと光学的に接続し、第１の光源光が出射する出射端部１１３ａとを有している。入射端部１１１ａは、第１の光源光が入射する導光部材１０９ａの第１の導光入射端部を構成する。入射端部１１１ａは、後述する入射端部１１１ｂよりも大きい。つまり導光部材１０９ａは、導光部材１０９ｂよりも大きい入射領域を有している。導光部材１０９ａは、第１の光源モジュール２０ａから入射端部１１１ａを介して入射した第１の光源光を、出射端部１１３ａを介して第１の照射モジュール６０ａに導光する。
【００３０】
導光部材１０９ｂは、導光部材２９ｂと後述する第２の導光部材７１ｂと同じ太さ、同じ光学的性質を有している。導光部材１０９ｂは、例えば単線の光ファイバである。この場合、光ファイバは、コアと、コアの屈折率よりも低い屈折率を有するクラッドとによって形成されている。コアの直径は、例えば数μｍ〜２００μｍとなっている。導光部材１０９ｂは、図示しないフェルールによって覆われている。導光部材１０９ｂは、例えばマルチモード光ファイバが好適である。
【００３１】
導光部材１０９ｂは、中継アダプタ１００の内部に配設されている。さらに導光部材１０９ｂは、第２の平側面から第３の平面側に向かって屈曲して配設されている。導光部材１０９ｂは、第２の平面側に配設され、出射端部３１ｂと光学的に接続し、第２の光源光が入射する入射端部１１１ｂと、第３の平面側に配設され、第２の照射モジュール６０ｂの入射端部６３ｂと光学的に接続し、第２の光源光が出射する出射端部１１３ｂとを有している。入射端部１１１ｂと出射端部１１３ｂとは、コアの端部を示す。入射端部１１１ｂは、第２の光源光が入射する導光部材１０９ｂの第２の導光入射端部を構成する。導光部材１０９ｂは、第２の光源モジュール２０ｂから入射端部１１１ｂを介して入射した第２の光源光を、出射端部１１３ｂを介して第２の照射モジュール６０ｂに導光する。
【００３２】
また中継アダプタ１００は、出射端部３１ａと入射端部１１１ａとが光学的に接続するために出射端部３１ａに入射端部１１１ａを固定する固定部１３３ａと、出射端部３１ｂと入射端部１１１ｂとが光学的に接続するために出射端部３１ｂに入射端部１１１ｂを固定する固定部１３３ｂとを有している。
【００３３】
固定部１３３ａは、入射端部１１１ａが配設され、中継アダプタ１００に配設され、出射端部３１ａと入射端部１１１ａとが光学的に接続するように、固定部３３ａと機械的に接続する第１のアダプタ側接続部を構成する。固定部１３３ａは、第１の平面から立設されている。固定部１３３ａは、凸形状を有して、凹状の固定部３３ａと嵌合する。固定部１３３ａが固定部３３ａと嵌合することで、中継アダプタ１００は第１の光源モジュール２０ａに機械的且つ光学的に接続される。このように固定部１３３ａと固定部３３ａとは、第１の接続機構として機能する。
【００３４】
固定部１３３ａは固定部３３ａのみと機械的に接続し、入射端部１１１ａは出射端部３１ａのみと光学的に接続する。よって固定部１３３ａは、固定部３３ｂとは嵌合せず、固定部３３ｂ（第２の光源モジュール２０ｂ）と機械的に接続しない。この点は、例えば固定部１３３ａの径と固定部３３ｂの径とが、異なることで、実施される。これに伴い、入射端部１１１ａは、出射端部３１ｂとは光学的に接続しない。
【００３５】
固定部１３３ｂは、入射端部１１１ｂが配設され、中継アダプタ１００に配設され、出射端部３１ｂと入射端部１１１ｂとが光学的に接続するように固定部３３ｂと機械的に接続する第２のアダプタ側接続部を構成する。固定部１３３ｂは、第２の平面から立設されている。固定部１３３ｂは、凸形状を有して、凹状の固定部３３ｂと嵌合する。固定部１３３ｂが固定部３３ｂと嵌合することで、中継アダプタ１００は第２の光源モジュール２０ｂに機械的且つ光学的に接続される。このように固定部１３３ｂと固定部３３ｂとは、第２の接続機構として機能する。
【００３６】
固定部１３３ｂは固定部３３ｂのみと機械的に接続し、入射端部１１１ｂは出射端部３１ｂのみと光学的に接続する。よって固定部１３３ｂは、固定部３３ａとは嵌合せず、第１の光源モジュール２０ａと機械的且つ光学的に接続しない。この点は、例えば固定部１３３ｂの径と固定部３３ａの径とが、異なることで、実施される。これに伴い、入射端部１１１ｂは、出射端部３１ａとは光学的に接続しない。
【００３７】
なお前記したように、固定部１３３ａが配設される第１の面と、固定部１３３ｂが配設される第２の面とは異なっており、固定部１３３ａと固定部１３３ｂとは同一平面上に配設されない。これにより、第１の光源モジュール２０ａの配設位置と第２の光源モジュール２０ｂの配設位置とが異なることになるため、第１の光源モジュール２０ａと第２の光源モジュール２０ｂとは互いに干渉することなく配設される。
【００３８】
また中継アダプタ１００は、出射端部１１３ａが配設され、中継アダプタ１００に配設される第３のアダプタ側接続部であり、第１のアダプタ照射接続部でもある凹状の固定部１６５と、出射端部１１３ｂが配設され、中継アダプタ１００に配設される第３のアダプタ側接続部であり、第２のアダプタ照射接続部でもある凹状の固定部１６７とを有している。
【００３９】
固定部１６５は、出射端部１１３ａを囲うように第３の平面から凹設されている。固定部１６５は、第１の照射モジュール６０ａの第１の固定ユニット６１ａに配設されている固定部６５ａ、または第２の照射モジュール６０ｂの第２の固定ユニット６１ｂに配設されている固定部６５ｂと嵌合する。固定部１６５が固定部６５ａと嵌合することで、中継アダプタ１００は第１の照射モジュール６０ａに機械的且つ光学的に接続される。このように固定部１６５と固定部６５ａとは、第３の接続機構として機能する。また固定部１６５は固定部６５ｂと嵌合するが、これに伴い中継アダプタ１００は第２の照射モジュール６０ｂに機械的に接続されるのみであり光学的に接続されない。このように固定部１６５と固定部６５ｂとは、第３の接続機構として機能する。
【００４０】
固定部１６５は、第１の固定ユニット６１ａに配設されている固定部６７ａと、第２の固定ユニット６１ｂに配設されている固定部６７ｂとは嵌合しない。この点は、例えば固定部１６５の径と固定部６７ａの径とが、異なることで、実施される。固定部１６５と固定部６７ｂとについても同様である。
【００４１】
固定部１６７は、出射端部１１３ｂを囲うように第３の平面から凹設されている。固定部１６７は、固定部６７ａ、または固定部６７ｂと嵌合する。固定部１６７は固定部６７ａと嵌合するが、これに伴い中継アダプタ１００は第２の照射モジュール６０ｂに機械的に接続されるのみであり光学的に接続されない。このように固定部１６７と固定部６７ａとは、第３の接続機構として機能する。固定部１６７が固定部６７ｂと嵌合することで、中継アダプタ１００は第２の照射モジュール６０ｂに機械的且つ光学的に接続される。このように固定部１６７と固定部６７ｂとは、第３の接続機構として機能する。
【００４２】
固定部１６７は、固定部６５ａと固定部６５ｂとは嵌合しない。この点は、例えば固定部１６７の径と固定部６５ａの径とが、異なることで、実施される。固定部１６７と固定部６５ｂとについても同様である。
【００４３】
このように中継アダプタ１００は、光学的に第１の光源モジュール２０ａと第１の照射モジュール６０ａとの間に介在し、光学的に第２の光源モジュール２０ｂと第２の照射モジュール６０ｂとの間に介在する。また第３のアダプタ側接続部である固定部１６５，１６７が配設される中継アダプタ１００の第３の面は、第１の面と対向している。  
また中継アダプタ１００は、第３の面にて交換可能となるよう、第１の照射モジュール６０ａまたは第２の照射モジュール６０ｂと接続する。
【００４４】
［第１の照射モジュール６０ａ］  
第１の照射モジュール６０ａは、中継アダプタ１００と光学的及び機械的に固定する第１の固定ユニット６１ａと、第１の固定ユニット６１ａと接続し、第１の光源光を導光する第１の導光ユニット６９ａと、第１の導光ユニット６９ａの端部に配設され、第１の導光ユニット６９ａによって導光された第１の光源光を照明光に変換して出射する第１の光変換ユニット７５ａとを有している。
【００４５】
［第１の固定ユニット６１ａ］  
第１の固定ユニット６１ａは、第１の光源光が入射し、出射端部１１３ａと光学的に接続する入射端部６３ａと、入射端部６３ａが配設され、固定部１６５と嵌合する凸状の固定部６５ａと、固定部６５ａと同一の平面に配設され、固定部１６７と嵌合する凸状の固定部６７ａとを有している。
【００４６】
固定部６５ａが固定部１６５と嵌合するタイミングと、固定部６７ａが固定部１６７と嵌合するタイミングとは、同時である。これによって、入射端部６３ａは出射端部１１３ａと光学的に接続し、第１の固定ユニット６１ａ（第１の照射モジュール６０ａ）は中継アダプタ１００と機械的且つ光学的に接続する。
【００４７】
また固定部６７ａは、第１の照射モジュール６０ａが中継アダプタ１００に接続された際に、出射端部１１３ｂから出射された第２の光源光が外部に出射されることを防止するために、第２の光源光を遮光する。固定部６７ａは、出射端部１１３ａに対向するように配設されている。前記したタイミングと同時に、固定部６７ａは、出射端部１１３ｂと当接し、第２の光源光を遮光する。
【００４８】
固定部６５ａ，６７ａは、第１の照射モジュール６０ａに配設され、第１の照射モジュール６０ａと出射端部１１３ａとが光学的に接続するように、固定部１６５，１６７と機械的に接続する第１の照射接続部を構成する。
【００４９】
［第１の導光ユニット６９ａ］  
第１の導光ユニット６９ａは、第１の光源光を第１の光変換ユニット７５ａに導光する第１の導光部材７１ａと、第１の導光部材７１ａを覆う外皮７３とを有している。
【００５０】
第１の導光部材７１ａは、第１の固定ユニット６１ａに配設され、入射端部６３ａとして機能する一端部と、第１の光変換ユニット７５ａと光学的に接続している他端部とを有している。第１の導光部材７１ａは、自在に湾曲可能である。このような第１の導光部材７１ａは、例えば単線の光ファイバ、またはバンドルファイバである。第１の導光部材７１ａは、例えば直線状に湾曲可能なように配設されている。
【００５１】
外皮７３は、第１の固定ユニット６１ａから延出され、第１の固定ユニット６１ａから露出している第１の導光部材７１ａを覆う。なお、外皮７３は、第１の光変換ユニット７５ａも覆う。
【００５２】
［第１の光変換ユニット７５ａ］  
第１の光変換ユニット７５ａは、第１の導光部材７１ａによって導光された第１の光源光の光学特性を変換し、第１の光源光を所望の照明光に変換する。具体的には、第１の光変換ユニット７５ａは、例えば、第１の光源光の光学特性に含まれるピーク波長とスペクトル形状と放射角と光量との少なくとも１つを所望に変換する。第１の光変換ユニット７５ａは例えば第１の光源光の光量のみを変換した場合、第１の光変換ユニット７５ａは第１の光源光を直接出射する。
【００５３】
本実施形態の第１の光変換ユニット７５ａは、第１の光源光の放射角を所望に変換する放射角変換部材を有してもよい。放射角変換部材は、放射角を拡げる配光変換部材の一種である。放射角変換部材は、放射角を所望に変換する例えば、１枚の凹レンズ、または複数のレンズが組み合わさることで形成されるレンズ群を有している。第１の光変換ユニット７５ａは、放射角変換部材によって、第１の光源光のピーク波長とスペクトル形状とをほとんど変化させずに、第１の光源光の放射角のみを変換する。そして第１の光変換ユニット７５ａは、放射角変換部材によって第１の光源光を照明光として出射する。
【００５４】
［第２の照射モジュール６０ｂ］  
第２の照射モジュール６０ｂは、中継アダプタ１００と光学的及び機械的に固定する第２の固定ユニット６１ｂと、第２の固定ユニット６１ｂと接続し、第２の光源光を導光する第２の導光ユニット６９ｂと、第２の導光ユニット６９ｂの端部に配設され、第２の導光ユニット６９ｂによって導光された第２の光源光を照明光に変換して出射する第２の光変換ユニット７５ｂとを有している。
【００５５】
［第２の固定ユニット６１ｂ］  
第２の固定ユニット６１ｂは、第２の光源光が入射し、出射端部１１３ｂと光学的に接続する入射端部６３ｂと、固定部１６５と嵌合する凸状の固定部６５ｂと、入射端部６３ｂが配設され、固定部６５ｂと同一の平面に配設され、固定部１６７と嵌合する固定部６７ｂとを有している。
【００５６】
固定部６５ｂが固定部１６５と嵌合するタイミングと、固定部６７ｂが固定部１６７と嵌合するタイミングとは、同時である。これによって、入射端部６３ｂは出射端部１１３ｂと光学的に接続し、第２の固定ユニット６１ｂ（第２の照射モジュール６０ｂ）は中継アダプタ１００と機械的且つ光学的に接続する。
【００５７】
また固定部６５ｂは、第２の照射モジュール６０ｂが中継アダプタ１００に接続された際に、出射端部１１３ａから出射された第１の光源光が外部に出射されることを防止するために、第１の光源光を遮光する。固定部６５ｂは、出射端部１１３ａに対向するように配設されている。前記したタイミングと同時に、固定部６５ｂは、出射端部１１３ａと当接し、第１の光源光を遮光する。
【００５８】
固定部６５ｂ，６７ｂとは、第２の照射モジュール６０ｂに配設され、第２の照射モジュール６０ｂと出射端部１１３ｂとが光学的に接続するように、固定部１６５，１６７と機械的に接続する第２の照射接続部を構成する。
【００５９】
［第２の導光ユニット６９ｂ］  
第２の導光ユニット６９ｂは、第２の光源光を第２の光変換ユニット７５ｂに導光する第２の導光部材７１ｂと、第２の導光部材７１ｂを覆う外皮７３とを有している。
【００６０】
第２の導光部材７１ｂは、第２の固定ユニット６１ｂに配設され、入射端部６３ｂとして機能する一端部と、第２の光変換ユニット７５ｂと光学的に接続している他端部とを有している。第２の導光部材７１ｂは、自在に湾曲可能である。このような第２の導光部材７１ｂは、例えば単線の光ファイバである。第２の導光部材７１ｂは、例えば直線状に湾曲可能なように配設されている。
【００６１】
外皮７３は、第２の固定ユニット６１ｂから延出され、第２の固定ユニット６１ｂから露出している第２の導光部材７１ｂを覆う。なお、外皮７３は、第２の光変換ユニット７５ｂも覆う。
【００６２】
［第２の光変換ユニット７５ｂ］  
第２の光変換ユニット７５ｂは、第２の導光部材７１ｂによって導光された第２の光源光の光学特性を変換し、第２の光源光を所望の照明光に変換する。具体的には、光変換ユニットは、第２の光源光（青色のレーザ光）の一部を吸収して黄色蛍光に変換し出射し、第２の光源光（青色のレーザ光）の他部を青色の散乱光に変換して出射するスペクトル変換部材を有している。スペクトル変換部材は、第２の光源光の光学特性に含まれる例えばピーク波長とスペクトル形状と放射角と光量との少なくとも１つを所望に変換する例えば波長変換部材である。この場合、スペクトル変換部材は、例えば、ＹＡＧ：Ｃｅ蛍光体粉末が樹脂やガラスに分散されることで形成される。
【００６３】
なお黄色蛍光と散乱光とは、互いに混合され、混合光として出射される。このときスペクトル変換部材の厚みと形状と、蛍光体粉末の粒径と濃度により、黄色蛍光の光量と散乱光の光量との比を調整できる。そして、黄色蛍光の光量と散乱光の光量との比により、混合光の色を調整できる。本実施形態では、混合光が白色光となるように、黄色蛍光の光量と散乱光の光量との比は、スペクトル変換部材の厚みと形状と、蛍光体粉末の粒径と濃度とによって、調整されている。
【００６４】
［作用１］  
第１の光源モジュール２０ａが中継アダプタ１００に接続し、第１の照射モジュール６０ａが中継アダプタ１００に接続する。第１の光源モジュール２０ａは、第１の光源モジュール２０ａを制御する図示しない光源駆動ユニットと接続する。
【００６５】
このとき固定部３３ａは、出射端部３１ａと入射端部１１１ａとが光学的に接続するように、固定部１３３ａに嵌合する。また固定部６５ａ，６７ａは、出射端部１１３ａと入射端部６３ａとが光学的に接続するように、固定部１６５，１６７に嵌合する。
【００６６】
第１の光源２１ａは、第１の光源光を出射する。第１の光源光は、出射端部３１ａと、入射端部１１１ａと、導光部材１０９ａと、出射端部１１３ａと、入射端部６３ａと、第１の導光部材７１ａと、第１の光変換ユニット７５ａとの順に進行する。第１の光源光は、第１の光変換ユニット７５ａによって放射角が広がった状態で、第１の光変換ユニット７５ａから外部に出射される。そして第１の光源光は、照明光として観察対象物を照明する。
【００６７】
ランプ光である第１の光源光は、太陽光に比較的近いスペクトルを有する白色光である。これにより、第１の光源モジュール２０ａと第１の照射モジュール６０ａとの組み合わせは、照明対象物に太陽光に近似した光を照射する場合に、有効である。
【００６８】
［作用２］  
第２の光源モジュール２０ｂが中継アダプタ１００に接続し、第２の照射モジュール６０ｂが中継アダプタ１００に接続する。第２の光源モジュール２０ｂは、第２の光源モジュール２０ｂを制御する図示しない光源駆動ユニットと接続する。
なお、光源駆動ユニットは、第１の光源モジュール２０ａを制御する光源駆動ユニットと一体であっても良いし、別体であっても良い。
【００６９】
このとき固定部３３ｂは、出射端部３１ｂと入射端部１１１ｂとが光学的に接続するように、固定部１３３ｂとに嵌合する。また固定部６５ｂ，６７ｂは、出射端部１１３ｂと入射端部６３ｂとが光学的に接続するように、固定部１６５，１６７に嵌合する。
【００７０】
第２の光源２１ｂは、第２の光源光を出射する。第２の光源光は、出射端部３１ｂと、入射端部１１１ｂと、導光部材１０９ｂと、出射端部１１３ｂと、入射端部６３ｂと、第２の導光部材７１ｂと、第２の光変換ユニット７５ｂとの順に進行する。青色のレーザ光である第２の光源光において、第２の光源光の一部は、第２の光変換ユニット７５ｂのスペクトル変換部材に吸収され、スペクトル変換部材によって黄色蛍光に変換される。また青色の第２の光源光の他部は、スペクトル変換部材によって青色の散乱光に変換される。黄色蛍光と青色の散乱光とは、スペクトル変換部材から外部に向けて出射される。このとき、黄色蛍光と青色の散乱光とは、混合して、白色光として出射される。白色光は、照明光として照明対象物を照射する。
【００７１】
半導体レーザを有する第２の光源２１ｂは、ランプ光源やＬＥＤ光源を有する第１の光源２１ａに比べて、小型化、省電力化が可能である。よって、第２の光源モジュール２０ｂと第２の照射モジュール６０ｂとが組み合わされると、光源システム１０は小型となり且つ照明光を省電力で照射することとなる。またレーザ光は、ランプ光やＬＥＤ光よりも明るい。これにより、第２の光源モジュール２０ｂと第２の照射モジュール６０ｂとの組み合わせは、光源システム１０を小型化したい場合や、光源システム１０の電力が制限されている場合や、効率よい明るい白色光が必要な場合に、有効である。
【００７２】
［効果］  
このように本実施形態では、中継アダプタ１００は、光学的に第１の光源モジュール２０ａと第１の照射モジュール６０ａとの間と、光学的に第２の光源モジュール２０ｂと第２の照射モジュール６０ｂとの間とに介在している。また照射モジュール６０ａ，６０ｂは、光源モジュール２０ａ，２０ｂと光学的に接続している。第１の照射モジュール６０ａと第２の照射モジュール６０ｂとの一方が、第３の平面に配設される。これにより本実施形態では、照射モジュール６０ａ，６０ｂの種類に関わらず、接続する面は同一平面に位置するので、組立の手間を省くことができ、正確且つ簡単に組み立てられることができ、目的に応じた様々な照明光を出射できる。
【００７３】
例えば、第１の光源モジュール２０ａと第２の光源モジュール２０ｂとが中継アダプタ１００に予め接続され、中継アダプタ１００に第１の照射モジュール６０ａが接続した場合、第１の光源モジュール２０ａが動作することで、照射対象物に太陽光に近い光を照射できる。また、中継アダプタ１００に第２の照射モジュール６０ｂが接続した場合、第２の光源モジュール２０ｂが動作することで、照射対象物により明るい光を照射することができる。  
【００７４】
いずれの場合であっても、中継アダプタ１００に接続した照射モジュールの種類に応じて、機能と特性とに応じた照明光を出射でき、ユーザの負担を軽減できる。
【００７５】
また本実施形態では、第１の光源２１ａにおいて、ランプ光の発光領域とＬＥＤ光の発光領域とは比較的大きく、ランプ光の光学特性とＬＥＤ光の光学特性とは近似している。このため、第１の光源２１ａがＬＥＤ光を出射する場合であっても、導光部材１０９ａにバンドルファイバを用いることで導光できる。なお、第１の光源モジュール２０ａとして、ランプ光を出射する光源とＬＥＤ光を出射する光源とがそれぞれ用意され、交換可能としても良い。また、ＬＥＤ光の出射スペクトルが異なる光源がそれぞれ用意され、交換可能としても良い。
【００７６】
また本実施形態では、第１の光変換ユニット７５ａは、ランプ光とＬＥＤ光とにおいて、それぞれのピーク波長とスペクトル形状とをほとんど変化させずに、それぞれの放射角のみを変換し照明対象物を照射する。よって本実施形態では、ランプ光とＬＥＤ光とに対し、第１の光変換ユニット７５ａも共有できる。
【００７７】
本実施形態では、例えば第２の光源モジュール２０ｂと第２の照射モジュール６０ｂとの組み合わせにおいて、第２の光変換ユニット７５ｂの動作は、レーザ光の波長に応じて異なる。  
例えば第２の光変換ユニット７５ｂにおいて、前記したＹＡＧ：Ｃｅ蛍光体粉末を有するスペクトル変換部材は、青色のレーザ光を吸収し黄色蛍光に変換する。このとき、スペクトル変換部材は、青紫色のレーザ光や、緑色より長波長のレーザ光を吸収せず、変換しない。
【００７８】
ただし、本実施形態のスペクトル変換部材は、レーザ光の波長に関わらず、レーザ光の放射角を変換する放射角変換部材としても機能する。よって、スペクトル変換部材は、青色のレーザ光を波長変換し、照明光の放射角を変換した状態で白色の照明光を出射する。またスペクトル変換部材は、青紫色のレーザ光や、緑色より長波長のレーザ光を、放射角を変換した状態で出射する。
【００７９】
以上のように、中継アダプタ１００を経由することで、複数種類の照射モジュールを交換可能に接続し動作させることが可能となり、目的に応じた様々な照明光を射出することが可能となる。
【００８０】
なお、本実施形態では、第１の光変換ユニット７５ａは放射角変換部材（配光変換部材の一種）を有し、第２の光変換ユニット７５ｂはスペクトル変換部材を有しているが、これに限定する必要は無い。一例を以下に記載する。もちろん、以下に記載した事項が組み合わせわれて使用されても良いし、単独で使用されても良い。
【００８１】
Ａ：例えば、第１の光変換ユニット７５ａは、凹レンズと凸レンズとホログラムレンズと回折格子との少なくとも一方を有していてもよい。凹レンズと、凸レンズと、凹レンズと凸レンズとの組み合わせとは、照明光の放射角を変換する放射角変換部材として機能する。ホログラムレンズと回折格子とは、放射角変換部材、または照明光の放射方向を変換する放射変換部材として機能する。
【００８２】
Ｂ：例えば、第１の光変換ユニット７５ａにおいて、放射変換部材は、粒子が内部に分散されている樹脂やガラスによって形成されていてもよい。この粒子は、高屈折率と高反射率とを有する例えばアルミナなどである。または例えば、放射変換部材は、屈折率が互いに異なる複数の透明な部材によって形成されていてもよい。または例えば、放射変換部材は、スリガラス等の散乱板や、表面に微小な凹凸が配設されている拡散板によって形成されていてもよい。
【００８３】
Ｃ：第２の光変換ユニット７５ｂにおいて、スペクトル変換部材は、光半導体材料とＳＨＧ（２次高調波）材料とエレクトロルミネッセンス材料との少なくも１つを有していてもよい。
【００８４】
Ｄ，Ｅ：第２の光変換ユニット７５ｂは、光源光の一部が透過し、光源光の他部が遮光される部材によって形成されていても良い。  
Ｄ：この部材は、例えば光学フィルタである。この光学フィルタは、例えば、波長カットフィルタと色素フィルタと光共振器（エタロン）との少なくも１つを示す。  
Ｅ：この部材は、例えば光透過変調部材である。光透過変調部材は、例えば、光スイッチとエレクトロクロミックと液晶デバイスとの少なくとも１つを示す。
【００８５】
例えば、第２の光源２１ｂの安全性とスペックル除去とに対しては、Ｂが好適である。また、第１の光源２１ａにおいて、ランプ光とＬＥＤ光との放射角が調整される場合には、ＡとＢとの少なくとも一方を用いることが可能である。
【００８６】
［第１の変形例］  
次に図２Ａを参照して、本実施形態の第１の変形例について説明する。  
図２Ａに示すように、光源システム１０は、第１の照射モジュール６０ａと第２の照射モジュール６０ｂとが組み合わされることで形成される第３の照射モジュール６０ｃを有している。
【００８７】
このため、第３の照射モジュール６０ｃは、第１の光源光と第２の光源光との少なくとも一方を受光することで機能する。
【００８８】
第３の照射モジュール６０ｃは、中継アダプタ１００と光学的及び機械的に固定する第３の固定ユニット６１ｃと、第１の固定ユニット６１ａと接続し、第１の光源光と第２の光源光との少なくとも一方を導光する第３の導光ユニット６９ｃと、第３の導光ユニット６９ｃの端部に配設され、第３の導光ユニット６９ｃによって導光された第１の光源光と第２の光源光との少なくとも一方を照明光に変換して出射する第３の光変換ユニット７５ｃとを有している。
【００８９】
［第３の固定ユニット６１ｃ］  
第３の固定ユニット６１ｃは、略直方体形状を有している。第３の固定ユニット６１ｃは、入射端部６３ａと、入射端部６３ｂと、固定部６５ａと、固定部６７ｂとを有している。
【００９０】
［第３の導光ユニット６９ｃ］  
第３の導光ユニット６９ｃは、第１の導光部材７１ａと、第２の導光部材７１ｂと、第１の導光部材７１ａと第２の導光部材７１ｂとを覆う外皮７３とを有している。
【００９１】
第１の導光部材７１ａと第２の導光部材７１ｂとは、互いに平行且つ直線状に配設されている。
【００９２】
［第３の光変換ユニット７５ｃ］  
第３の光変換ユニット７５ｃは、第１の光変換ユニット７５ａと第２の光変換ユニット７５ｂとを有している。第１の光変換ユニット７５ａは、第１の導光部材７１ａのみと光学的に接続している。第２の光変換ユニット７５ｂは、第２の導光部材７１ｂのみと光学的に接続している。第１の光変換ユニット７５ａと第２の光変換ユニット７５ｂとは、光学的に互いに独立しており、互いに離れて配設されている。第１の光変換ユニット７５ａと第２の光変換ユニット７５ｂとは、導光ユニットの軸方向に対して直交する平面において、同一平面上に配設されている。
【００９３】
第１の光源光（ランプ光やＬＥＤ光）は、第２の光源光（青色のレーザ光）と同様の光学特性を有している。つまり第１の光源光は、第２の光変換ユニット７５ｂのスペクトル変換部材によって吸収され、スペクトル変換部材によって黄色蛍光に変換する青色成分を有している。このため、第２の光変換ユニット７５ｂが第１の導光部材７１ａと光学的に接続していると、第１の光源光が第２の光変換ユニット７５ｂを照射した場合であっても、黄色蛍光が含まれた照明光が照射されてしまう。これを避けるために、第２の光変換ユニット７５ｂは、第１の導光部材７１ａに対して光学的に独立している。このように第１の光源光は第２の光変換ユニット７５ｂを照射せず、第２の光源光は第１の光変換ユニット７５ａを照射しない。
【００９４】
本変形例では、第１の光源光を用いる第１の光変換ユニット７５ａと第２の光源光を用いる第２の光変換ユニット７５ｂとの双方を搭載する第３の照射モジュール６０ｃと、中継アダプタ１００とを併用することにより、組立の手間をさらに省くことができる。
【００９５】
［第２の変形例］
次に図２Ｂと図２Ｃとを参照して、本実施形態の第２の変形例について説明する。  
本変形例では、図２Ｂに示すように、第１の光源モジュール２０ａは、第１の照射モジュール６０ａと直接光学的且つ機械的に接続してもよい。この場合、第１の固定ユニット６１ａは、入射端部６３ａと固定部６５ａとのみを有している。固定部６５ａは、出射端部３１ａと入射端部６３ａとが光学的に接続するように、固定部３３ａに直接嵌合する。
【００９６】
また本変形例では、図２Ｂに示すように、第２の光源モジュール２０ｂは、第２の照射モジュール６０ｂと直接光学的且つ機械的に接続してもよい。この場合、第２の固定ユニット６１ｂは、入射端部６３ｂと固定部６７ｂとのみを有している。固定部６７ｂは、出射端部３１ｂと入射端部６３ｂとが光学的に接続するように、固定部３３ｂに直接嵌合する。
【００９７】
このように固定部６５ａと固定部３３ａとの嵌合と、固定部６７ｂと固定部３３ｂとの嵌合とは、個別に実施される。
【００９８】
なお図２Ｃに示すように、中継アダプタ１００が配設される場合、固定部６５ａは、出射端部１１３ａと入射端部６３ａとが光学的に接続するように、固定部１６５に嵌合すればよい。また図２Ｃに示すように、固定部６７ｂは、出射端部１１３ｂと入射端部６３ｂとが光学的に接続するように、固定部１６７に嵌合すればよい。
【００９９】
このように固定部６５ａと固定部１６５との嵌合（機械的な接続）と、固定部６７ｂと固定部１６７との嵌合（機械的な接続）とは、単独で実施される。
【０１００】
本変形例では、光源モジュールに直接接続し動作可能な照射モジュールにおいて、この照射モジュールが中継アダプタ１００を介して光源モジュールと接続することで、複数種類の照射モジュールを中継アダプタ１００の同一面で接続可能となり、組立を簡素にできる。
【０１０１】
［第２の実施形態］  
図３Ａと図３Ｂとを参照して、第２の実施形態について説明する。本実施形態では、以下に、第１の実施形態の構成とは異なる構成のみ説明する。  
［構成］  
図３Ａに示すように、第１の接続機構は、固定部３３ａと固定部１３３ａとの接続状態を検出する検出部３５ａをさらに有している。検出部３５ａは、固定部３３ａに配設されている１対の電極３７ａと、固定部１３３ａに配設されている１対の電極３９ａと、電極３７ａと電気的に接続している接続判定部４１ａとを有している。
【０１０２】
固定部３３ａと固定部１３３ａとが接続する際に、電極３７ａと電極３９ａとは電気的に接続する。接続判定部４１ａは、電極３７ａと電極３９ａとにおける導通を判定する。接続判定部４１ａは、この判定結果を基に、固定部３３ａと固定部１３３ａとの接続状態、つまり出射端部３１ａと入射端部１１１ａとの光学的な接続状態を判定する。接続判定部４１ａは、図示しない光源駆動ユニットと接続しており、接続判定部４１ａの判定結果を光源駆動ユニットに送信する。
【０１０３】
固定部３３ａと固定部１３３ａとが接続している旨を判定結果が示す場合、光源駆動ユニットは第１の光源モジュール２０ａを駆動させる。固定部３３ａと固定部１３３ａとが接続していない旨を判定結果が示す場合、光源駆動ユニットは第１の光源モジュール２０ａを停止させる。
【０１０４】
第２の接続機構は、固定部３３ｂと固定部１３３ｂとの接続状態を検出する検出部３５ｂをさらに有している。検出部３５ｂは、固定部３３ｂに配設されている１対の電極３７ｂと、固定部１３３ｂに配設されている１対の電極３９ｂと、電極３７ｂと電気的に接続している接続判定部４１ｂとを有している。
【０１０５】
固定部３３ｂと固定部１３３ｂとが接続する際に、電極３７ｂと電極３９ｂとは電気的に接続する。接続判定部４１ｂは、電極３７ｂと電極３９ｂとにおける導通を判定する。接続判定部４１ｂは、この判定結果を基に、固定部３３ｂと固定部１３３ｂとの接続状態、つまり出射端部３１ｂと入射端部１１１ｂとの光学的な接続状態を判定する。接続判定部４１ｂは、図示しない光源駆動ユニットと接続しており、接続判定部４１ｂの判定結果を光源駆動ユニットに送信する。
【０１０６】
固定部３３ｂと固定部１３３ｂとが接続している旨を判定結果が示す場合、光源駆動ユニットは第２の光源モジュール２０ｂを駆動させる。固定部３３ｂと固定部１３３ｂとが接続していない旨を判定結果が示す場合、光源駆動ユニットは第２の光源モジュール２０ｂを停止させる。
【０１０７】
第３の接続機構は、固定部１６５と固定部６５ａとの接続状態と、固定部１６７と固定部６７ｂとの接続状態とを検出する検出部８５をさらに有している。検出部８５は、固定部１６５に配設されている１対の電極８５ａと、固定部１６７に配設されている１対の電極８５ｂと、固定部６５ａに配設される１対の電極８５ｃと、固定部６７ｂに配設されている１対の電極８５ｄとを有している。
電極８５ｃは、電極８５ａと第１の導光部材７１ａとに対応するように配設されている。つまり電極８５ｃは、第１の光源モジュール２０ａのために配設されている。
電極８５ｄは、電極８５ｃと第２の導光部材７１ｂとに対応するように配設されている。つまり電極８５ｄは、第２の光源モジュール２０ｂのために配設されている。
【０１０８】
電極８５ａは、電極３９ａと電気的に接続している。固定部１６５と固定部６５ａとが接続する際に、電極８５ａと電極８５ｃとは電気的に接続する。
【０１０９】
電極８５ｂは、電極３９ｂと電気的に接続している。固定部１６７と固定部６７ｂとが接続する際に、電極８５ｂと電極８５ｄとは電気的に接続する。
【０１１０】
これにより検出部８５は、固定部１６５と固定部６５ａの接続検出結果を検出部３５ａに伝達し、固定部１６７と固定部６７ｂの接続検出結果を検出部３５ｂに伝達する。  
つまり検出部３５ａが固定部３３ａと固定部１３３ａとの接続を検出し、且つ検出部８５が固定部１６５と固定部６５ａとの接続を検出した際に、検出部８５は、検出部８５の検出結果を、検出部３５ａに伝達する。また検出部３５ｂが固定部３３ｂと固定部１３３ｂとの接続を検出し、且つ検出部８５が固定部１６７と固定部６７ｂとの接続とを検出した際に、検出部８５は、検出部８５の検出結果を、検出部３５ｂに伝達する。
【０１１１】
なお図３Ｂに示すように、電極３７ａは、例えば開閉式となっており、固定部１６５と固定部６５を接続した際に電極３９ａと接触するように構成されている。この点は、電極３７ｂと電極３９ｂ，電極８５ａと電極８５ｃ，電極８５ｂと電極８５ｄとについても同様である。
【０１１２】
［作用１］  
第１の光源モジュール２０ａが中継アダプタ１００に接続し、第１の照射モジュール６０ａが中継アダプタ１００に接続する。これにより固定部３３ａと固定部１３３ａとが接続し、固定部１６５と固定部６５ａとが接続する。そして電極３７ａと電極３９ａとが接続し、電極８５ａと電極８５ｃとが接続する。
【０１１３】
接続判定部４１ａは、電極３７ａと電極３９ａとにおける導通と、電極８５ａと電極８５ｃとにおける導通とを判定する。なお接続判定部４１ａは、電極８５ａと電極８５ｃとにおける導通を、電極３７ａと電極３９ａとを介して判定する。そして接続判定部４１ａは、固定部３３ａと固定部１３３ａとが接続していることと、固定部１６５と固定部６５ａとが接続していることとを判定する。光源駆動ユニットは、第１の光源モジュール２０ａを駆動させる。これにより、第１の光源モジュール２０ａは、検出部３５ａの検出結果と、検出部８５の検出結果とを基に、第１の光源２１ａを制御する。そして第１の照射モジュール６０ａは、検出部３５ａの検出結果と、検出部８５の検出結果とを基に、制御される。そして、第１の光源２１ａは、第１の光源光を出射する。
【０１１４】
第１の照射モジュール６０ａが中継アダプタ１００から外れると、接続判定部４１ａは、電極８５ａと電極８５ｃとにおける導通とを判定し、固定部１６５と固定部６５ａとが外れていることとを判定する。光源駆動ユニットは、第１の光源モジュール２０ａを停止させる。
【０１１５】
なお作用１において、第２の光源モジュール２０ｂが中継アダプタ１００と接続し、固定部３３ｂが固定部１３３ｂと接続し、電極３７ｂが電極３９ｂと接続し、固定部１６７が第１の照射モジュール６０ａの固定部６７ａと接続したとする。この場合、第１の照射モジュール６０ａは電極８５ｄを有しておらず、電極８５ｂは電極８５ｄと接続しない。
このため、接続判定部４１ｂは、電極８５ｂと電極８５ｄとにおける非導通を判定する。これにより、第２の光源モジュール２０ｂは停止したままとなり、第２の光源２１ｂは第２の光源光を出射しない。
【０１１６】
このように作用１では、第１の導光部材７１ａに対応する電極８５ｃが配設されているため、第１の導光部材７１ａに対応する第１の光源モジュール２０ａのみが起動され、第１の導光部材７１ａに対応しない第２の光源モジュール２０ｂは停止したままとなる。よって、第１の光源２１ａが第１の光源光を出射し、第２の光源２１ｂは第２の光源光を出射しない。
【０１１７】
［作用２］  
第２の光源モジュール２０ｂが中継アダプタ１００に接続し、第２の照射モジュール６０ｂが中継アダプタ１００に接続する。これにより固定部３３ｂと固定部１３３ｂとが接続し、固定部１６７と固定部６７ｂとが接続する。そして電極３７ｂと電極３９ｂとが接続し、電極８５ｂと電極８５ｄとが接続する。
【０１１８】
接続判定部４１ｂは、電極３７ｂと電極３９ｂとにおける導通と、電極８５ｂと電極８５ｄとにおける導通とを判定する。なお接続判定部４１ｂは、電極８５ｂと電極８５ｄとにおける導通を、電極３７ｂと電極３９ｂとを介して判定する。これにより、接続判定部４１ｂは、固定部３３ｂと固定部１３３ｂとが接続していることと、固定部１６７と固定部６７ｂとが接続していることとを判定する。光源駆動ユニットは、第２の光源モジュール２０ｂを駆動させる。これにより第２の光源モジュール２０ｂは、検出部３５ｂの検出結果と、検出部８５の検出結果とを基に、第２の光源２１ｂを制御する。そして第２の照射モジュール６０ｂは、検出部３５ｂの検出結果と、検出部８５の検出結果とを基に、制御される。そして、第２の光源２１ｂは、第２の光源光を出射する。
【０１１９】
第２の照射モジュール６０ｂが中継アダプタ１００から外れると、接続判定部４１ｂは、電極８５ｂと電極８５ｄとにおける導通とを判定し、固定部１６７と固定部６７ｂとが外れていることとを判定する。光源駆動ユニットは、第２の光源モジュール２０ｂを停止させる。
【０１２０】
なお作用２において、第１の光源モジュール２０ａが中継アダプタ１００と接続し、固定部３３ａが固定部１３３ａと接続し、電極３７ａが電極３９ａと接続し、固定部１６５が第２の照射モジュール６０ｂの固定部６５ｂと接続したとする。この場合、第２の照射モジュール６０ｂは電極８５ｃを有しておらず、電極８５ａは電極８５ｃと接続しない。
このため、接続判定部４１ａは、電極８５ｂと電極８５ｃとにおける非導通を判定する。これにより、第１の光源モジュール２０ａは停止したままとなり、第１の光源２１ａは第１の光源光を出射しない。
【０１２１】
このように作用２では、第２の導光部材７１ｂに対応する電極８５ｄが配設されているため、第２の導光部材７１ｂに対応する第２の光源モジュール２０ｂのみが起動され、第２の導光部材７１ｂに対応しない第１の光源モジュール２０ａは停止したままとなる。よって、第２の光源２１ｂが第２の光源光を出射し、第１の光源２１ａは第１の光源光を出射しない。
【０１２２】
［作用３］  
第１の光源モジュール２０ａと第２の光源モジュール２０ｂとが中継アダプタ１００に接続し、第３の照射モジュール６０ｃが中継アダプタ１００に接続する。これにより作用１と作用２とが組み合わさることとなり、光源駆動ユニットは、第１の光源モジュール２０ａと第２の光源モジュール２０ｂとを駆動させる。
【０１２３】
つまり作用３では、第１の導光部材７１ａに対応する電極８５ｃが配設され、第２の導光部材７１ｂに対応する電極８５ｄが配設されているため、第１の導光部材７１ａに対応する第１の光源モジュール２０ａと、第２の導光部材７１ｂに対応する第２の光源モジュール２０ｂとの両方が起動する。よって、第１の光源２１ａが第１の光源光を出射し、第２の光源２１ｂが第２の光源光を出射する。
【０１２４】
第３の照射モジュール６０ｃが中継アダプタ１００から外れると、前記と同様に、光源駆動ユニットは、第１の光源モジュール２０ａと第２の光源モジュール２０ｂとを停止させる。
【０１２５】
［効果］  
本実施形態では、検出部３５ａ，３５ｂ，８５によって、光源モジュールと照射モジュールとの接続状態を検出できる。よって本実施形態では、光源モジュールを確実に動作でき、不要な光源モジュールを確実に停止でき、不要な光が光源システム１０の外部に漏れることを防止でき、光の利用効率を高めることができる。
【０１２６】
なお本実施形態では、例えば作用１において、第１の光源モジュール２０ａは、検出部３５ａの検出結果と検出部８５の検出結果とを基に、第１の光源２１ａが第１の光源光をすぐに出射するように、第１の光源２１ａを制御する。しかし、これに限定する必要は無い。例えば、第１の光源モジュール２０ａは、検出部３５ａの検出結果と検出部８５の検出結果とを基に、第１の光源２１ａが第１の光源光を出射する状態に待機するように、第１の光源２１ａを制御してもよい。つまり、第１の光源２１ａは、ユーザの許可に応じて第１の光源光を出射するという駆動できる状態に待機することとなる。この場合は、ユーザは、例えば第１の光源モジュール２０ａに配設される図示しないスイッチを操作することによって、第１の光源２１ａの駆動を許可することとなる。  
この点については、作用２における第２の光源２１ｂと、作用３における第１の光源２１ａと第２の光源２１ｂとの少なくとも一方とについても同様である。
【０１２７】
［第３の実施形態］  
本実施形態では、以下に、第１の実施形態の構成とは異なる構成のみ説明する。  
図４に示すように、第２の光源モジュール２０ｂは、中継アダプタ１００に内蔵されている。これにより本実施形態では、光源システム１０を小型にできる。
【０１２８】
また本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【０１２９】
１０…光源システム、２０ａ…第１の光源モジュール、２０ｂ…第２の光源モジュール、３１ａ，３１ｂ…出射端部、３３ａ，３３ｂ…固定部、６０ａ…第１の照射モジュール、６０ｂ…第２の照射モジュール、６１ａ…第１の固定ユニット、６１ｂ…第２の固定ユニット、６３ａ，６３ｂ…入射端部、６５ａ，６５ｂ，６７ａ，６７ｂ…固定部、６９ａ…第１の導光ユニット、６９ｂ…第２の導光ユニット、７１ａ…第１の導光部材、７１ｂ…第２の導光部材、１００…中継アダプタ、１０９ａ…導光部材、１０９ｂ…導光部材、１１１ａ，１１１ｂ…入射端部、１１３ａ，１１３ｂ…出射端部、１３３ａ，１３３ｂ…固定部、１６５，１６７…固定部。
【図１】
0005851856.tif 000002
【図２Ａ】
0005851856.tif 000003
【図２Ｂ】
0005851856.tif 000004
【図２Ｃ】
0005851856.tif 000005
【図３Ａ】
0005851856.tif 000006
【図３Ｂ】
0005851856.tif 000007
【図４】
0005851856.tif 000008